(57)【要約】【課題】携帯電話機用ハンズフリー装置において携帯電話機自身が簡単に着脱でき、又、携帯電話機の持ち運び時にハンズフリー装置の構成部材が邪魔にならず、電池交換の必要のない物が望まれている。【解決手段】本発明の携帯電話機用ハンズフリー装置は、携帯電話機のイヤホンマイク用端子に接続され携帯電話機と共に持ち運び可能な一次側装置と、自動車等の室内に固定される携帯電話保持具と一体に構成される二次側装置より構成され、前記一次側装置には携帯電話機から供給される受信音声の電気信号を磁束信号に変換して出力する一次側磁界コイルユニットを有し、前記二次側装置には、前記一次側装置より出力された受信音声の磁束信号を受信し電気信号に変換して出力する二次側ピックアップコイルユニットと、前記受信音声の電気信号を増幅する増幅器と、前記増幅器により増幅された受信音声の電気信号を音声に変換するスピーカーを有する事を特徴とする。【選択図】図１
2006050492.tif 000002
【特許請求の範囲】
【請求項１】
携帯電話機のイヤホンマイク用端子に接続され携帯電話機と共に持ち運び可能な一次側装置と、自動車等の室内に固定される二次側装置より構成される携帯電話機用ハンズフリー装置において、前記一次側装置は、携帯電話機の受信音声の電気信号出力端子と送信音声の電気信号入力端子を有するイヤホンマイク用端子に接続されるコネクターと、前記電気信号出力端子から供給される受信音声の電気信号を磁束信号に変換して出力する一次側磁界コイルユニットと、二次側装置より出力された送信音声の磁束信号を受信し電気信号に変換して前記電気信号入力端子に出力する一次側ピックアップコイルユニットを有し、前記二次側装置は、前記一次側装置より出力された受信音声の磁束信号を受信し電気信号に変換して出力する二次側ピックアップコイルユニットと、前記受信音声の電気信号を音声に変換するスピーカーと、使用者の発する送信音声を電気信号に変換するマイクと、前記送信音声の電気信号を磁束信号に変換して出力する二次側磁界コイルユニットを有する事を特徴とする携帯電話機用ハンズフリー装置。
【請求項２】
携帯電話機のイヤホンマイク用端子に接続され携帯電話機と共に持ち運び可能な一次側装置と、自動車等の室内に固定される二次側装置より構成される携帯電話機用ハンズフリー装置において、前記一次側装置は、携帯電話機の受信音声の電気信号出力端子と送信音声の電気信号入力端子を有するイヤホンマイク用端子に接続されるコネクターと、前記電気信号出力端子から供給される受信音声の電気信号を磁束信号に変換して出力する一次側磁界コイルユニットと、使用者の発する送信音声を電気信号に変換して前記電気信号入力端子に出力するマイクを有し、前記二次側装置は、前記一次側装置より出力された受信音声の磁束信号を受信し電気信号に変換して出力する二次側ピックアップコイルユニットと、前記受信音声の電気信号を音声に変換するスピーカーを有する事を特徴とする携帯電話機用ハンズフリー装置。
【請求項３】
前記一次側装置が、携帯電話機の送受信が携帯電話機用ハンズフリー装置を介すか否かを選択する選択手段を有する事を特徴とする請求項1又は２記載の携帯電話機用ハンズフリー装置。
【請求項４】
携帯電話機を保持する保持具を有し、前記一次側装置を接続した携帯電話機を前記保持具に保持した状態において、前記保持具上の前記一次側磁界コイルユニットと近接する位置に前記二次側ピックアップコイルユニットが固定可能である事を特徴とする請求項1、２又は３記載の携帯電話機用ハンズフリー装置。
【請求項５】
前記一次側装置の各電気部品が一体のケース内に収納されると共に、携帯電話機と接続可能な紐が前記ケースに接続される事を特徴とする請求項1、２、３又は４記載の携帯電話機用ハンズフリー装置。
【請求項６】
前記一次側装置が、携帯電話機のイヤホンマイク用端子から供給される電力のみで駆動される事を特徴とする請求項1、２、３，４又は５記載の携帯電話機用ハンズフリー装置。
【発明の詳細な説明】
【技術分野】
【０００１】
本発明は自動車を運転中に携帯電話を把持することなく通話を可能にする携帯電話機用ハンズフリー装置に関するものである。
【背景技術】
【０００２】
携帯電話機は、場所や時間に制限されることなく、かつ移動しながらでも自由に通話できることから急速に普及拡大しつつあり、それに伴い携帯電話機を自動車の運転中に使用するケースが増加している。この場合、一方の手で携帯電話機を把持しなければならない関係上、その通話中は片手運転となるため、自動車の安全運転が損なわれ、緊急時のハンドル操作などに支障を来すおそれがあるほか、携帯電話機の着信及び送信時に、その操作を手動で行なう事により、自動車操縦への集中力が散漫になり、交通事故の要因となる可能性があった。このため、道路交通法の改正により、自動車を運転中に携帯電話の使用を禁止するようになってきた。ただし、携帯電話機を持たずに通話できるハンズフリー装置の使用は認められている。
【０００３】
従来のハンズフリー装置においては特許文献1に記載されるように、自動車のハンドルを両手で握ったまま通話を可能にするケーブル接続方式のイヤホンマイク型ハンズフリー装置が開示されている。本開示技術は、イヤホンとマイクがセットになったイヤホンマイク本体と、このイヤホンマイク本体から延びる接続ケーブルの先端に設けた接続プラグを携帯電話のイヤホンマイク用端子に接続するものである。
【０００４】
特許文献２には、マイクとスピーカーの音声信号を無線電波により携帯電話機側と受送信するハンズフリー装置が開示されている。この開示技術は、携帯電話機に取り付けられて無線電波による無線通信手段を内蔵した本体部と、該本体部から延びるケーブルと、該ケーブルの先端に設けられて前記携帯電話機のイヤホンマイク用端子に接続されるコネクターとからなる携帯電話機と共に持ち運び可能な一次側送受信装置と、マイクとスピーカーとを有し、前記一次側送受信装置の無線通信手段との間で電波を用いて音声信号の送受信を行う第二送受信装置とから成るものである。
【０００５】
特許文献３には、受信イヤホンへの音声信号のみを無線信号により携帯電話機側から送信するハンズフリー装置が開示されている。この開示技術は、マイクが有線方式で電話機に接続されて第一音声信号を電話機に伝送し、送信器が電話機に接続されて電話機の第二音声信号を受信するとともに無線信号に変換して送信し、受信イヤホンが送信器から送信された無線信号を受信するとともに第三音声信号に変換して使用者が聴取できるものであり、無線信号としては赤外線または無線電波を利用する物であり、更に送信器を電話機の内部に組見込んだ場合には送信器の電源を電話機のバッテリーから供給する事が出来るものである。
【０００６】
【特許文献１】特開平１０−２８５２６６号公報
【特許文献２】特開２００２−１１８６３５号公報
【特許文献３】特開２０００−２３６３８２号公報
【発明の開示】
【発明が解決しようとする課題】
【０００７】
しかしながら、上記特許文献１に記載の上述したケーブル接続方式のイヤホンマイク型ハンズフリー装置は、自動車の乗り降りの度に、携帯電話機のイヤホンマイク用端子に対して前記接続プラグの着脱を行なわなければならないため、前記イヤホンマイク型のハンズフリー装置を所有していても実際には携帯電話機を操作する必要が出てくるまで前記接続プラグを携帯電話機に接続されない場合があり、不意の着信時など運転中に前記接続操作を行なう場合には特に自動車操縦への集中力が散漫になり、交通事故の要因となる可能性があった。又、イヤホンマイク本体から延びる接続ケーブル自体が、ハンドルや、シフトレバーなどに絡まり運転に支障を来す可能性があった。また、耳がイヤホンで塞がれるため、警報音等の車外からの音が聞き取りにくくなるという問題もあった。
【０００８】
又、上記特許文献２に記載のマイクとスピーカーを携帯電話機から分離した無線電波によるハンズフリー装置は、携帯電話機とマイク及びスピーカーを直接ケーブルで接続しないため、接続ケーブル自体が、ハンドルや、シフトレバーなどに絡まり運転に支障を来す事は無いが、無線電波による音声信号の送受信を、携帯電話機のイヤホンマイク用端子から供給される電力のみで行なう事は困難であり、そのため一次側送受信装置に電池を内蔵するか、または自動車のシガライターソケットなどから電源を取るための配線を別途設ける必要があったが、前記一次側送受信装置に電池を内蔵する場合には重量と容積が増し携帯電話機を持ち運ぶ際に邪魔であり、更に電池切れを起こす前にインジケーターやアラームで電池の状態を使用者に知らせる必要がありコストの上昇要因になっている。また自動車のシガライターソケットなどから電源を取るための配線をする場合には自動車の乗り降りの度に一次側送受信装置に対して電源コードの着脱操作をする必要があり、非常に作業が煩わしく結局携帯電話機を操作する必要が出てくるまで前記電源の接続がなされず、不意の着信時など運転中に前記接続操作を行なう場合には特に自動車操縦への集中力が散漫になり、交通事故の要因となる可能性があった。
【０００９】
更に、上記特許文献３に記載の受信イヤホンのみに音声信号を無線信号により携帯電話機側から送信するハンズフリー装置は、携帯電話機とマイク及びスピーカーを直接ケーブルで接続しないため、接続ケーブル自体が、ハンドルや、シフトレバーなどに絡まり運転に支障を来す事は無いが、無線電波による音声信号の送信を、携帯電話機のイヤホンマイク用端子から供給される電力のみで行なう事は困難であり、そのため送信器側に電池を内蔵するか、または自動車のシガライターソケットなどから電源を取るための配線を別途設ける必要があった。前記送信器側に電池を内蔵する場合には重量と容積が増し携帯電話機を持ち運ぶ際に邪魔であり、更に電池切れを起こす前にインジケーターやアラームで電池の状態を使用者に知らせる必要がありコストの上昇要因になっている。また自動車のシガライターソケットなどから電源を取るための配線をする場合には自動車の乗り降りの度に送信器側に対して電源コードの着脱操作をする必要があり、非常に作業が煩わしく結局携帯電話機を操作する必要が出てくるまで前記電源の接続がなされず、不意の着信時など運転中に前記接続操作を行なう場合には特に自動車操縦への集中力が散漫になり、交通事故の要因となる可能性があった。又、前記無線電波の送信器を電話機の内部に組み込む事により送信器の電源を電話機のバッテリーから供給する事も出来るが、電話機及びハンズフリー装置自体を予め専用設計しておく必要があり、不特定多数の電話機への適合は不可能であった。更に無線信号としては赤外線を使用する場合には、赤外線よる音声信号の送信を、携帯電話機のイヤホンマイク用端子から供給される電力のみで行なう事が可能であるが、送信器と受信イヤホンの間に障害物が存在した場合には通信が困難になる問題があり、更に赤外線信号を受信して電気信号に変換するためには、専用のピックアップ素子と回路が必要になり、コストの上昇要因になっていた。
【００１０】
本発明は、上記した課題を解決すべくなされたものであり、携帯電話機用ハンズフリー装置の使用を促進し、安全運転に貢献するものである。
【課題を解決するための手段】
【００１１】
本発明は、携帯電話機のイヤホンマイク用端子に接続され携帯電話機と共に持ち運び可能な一次側装置と、自動車等の室内に固定される二次側装置より構成される携帯電話機用ハンズフリー装置において、前記一次側装置は、携帯電話機の受信音声の電気信号出力端子と送信音声の電気信号入力端子を有するイヤホンマイク用端子に接続されるコネクターと、前記電気信号出力端子から供給される受信音声の電気信号を磁束信号に変換して出力する一次側磁界コイルユニットと、二次側装置より出力された送信音声の磁束信号を受信し電気信号に変換して前記電気信号入力端子に出力する一次側ピックアップコイルユニットを有し、前記二次側装置は、前記一次側装置より出力された受信音声の磁束信号を受信し電気信号に変換して出力する二次側ピックアップコイルユニットと、前記受信音声の電気信号を音声に変換するスピーカーと、使用者の発する送信音声を電気信号に変換するマイクと、前記送信音声の電気信号を磁束信号に変換して出力する二次側磁界コイルユニットを有する事を特徴とする。
【００１２】
また本発明の別に実施形態においては、携帯電話機のイヤホンマイク用端子に接続され携帯電話機と共に持ち運び可能な一次側装置と、自動車等の室内に固定される二次側装置より構成される携帯電話機用ハンズフリー装置において、前記一次側装置は、携帯電話機の受信音声の電気信号出力端子と送信音声の電気信号入力端子を有するイヤホンマイク用端子に接続されるコネクターと、前記電気信号出力端子から供給される受信音声の電気信号を磁束信号に変換して出力する一次側磁界コイルユニットと、使用者の発する送信音声を電気信号に変換して前記電気信号入力端子に出力するマイクを有し、前記二次側装置は、前記一次側装置より出力された受信音声の磁束信号を受信し電気信号に変換して出力する二次側ピックアップコイルユニットと、前記受信音声の電気信号を音声に変換するスピーカーを有する事を特徴とする。
【００１３】
そして  前記一次側装置が、携帯電話機の送受信が携帯電話機用ハンズフリー装置を介すか否かを選択する選択手段を有していると良い。
【００１４】
更に携帯電話機を保持する保持具を有し、前記一次側装置を接続した携帯電話機を前記保持具に保持した状態において、前記保持具上の前記一次側磁界コイルユニットと近接する位置に前記二次側ピックアップコイルユニットが固定可能であると良い。
【００１５】
又、前記一次側装置の各電気部品が一体のケース内に収納されると共に、携帯電話機と接続可能な紐が前記ケースに接続されると良い。
【００１６】
又、前記一次側装置が、携帯電話機のイヤホンマイク用端子から供給される電力のみで駆動されると良い。
【発明の効果】
【００１７】
本発明は音声信号の送信に消費電力が少なく変換回路が不要な磁界コイルを使用し、音声信号の受信に消費電力が少なく変換回路が不要なピックアップコイルを使用するため、携帯電話機のイヤホンマイク用端子に接続される一次側装置は前記イヤホンマイク用端子から供給される電気信号のみで駆動が可能であり、電池等による電源手段が不要であり、その容積も非常に小さく構成出来、携帯電話機を持ち運ぶ際にも、携帯電話機に一次側装置を接続したままで何ら不具合も無いものである。
【００１８】
又、帯電話機の送受信が携帯電話機用ハンズフリー装置を介すか否かの切り替えを、切換スイッチ若しくは携帯電話機用ハンズフリー装置にセットされた事を感知し自動的に切り替える手段により行なう事により、その操作が非常に簡単になり、更に予め携帯電話機を保持する保持具の、適する位置に前記二次側ピックアップコイルユニットを固定しておく事により、自動車の乗車時に携帯電話機を保持具に固定のみで、ハンズフリー装置のセットが完了し、不意の着信時などにも安全に携帯電話機を使用することが出来る。
【００１９】
更に、前記一次側装置の各電気部品が一体のケース内に収納されると共に、携帯電話機と接続可能な紐が前記ケースに接続される事により、携帯電話機の持ち運び時に前記一次側装置を紛失する事がなく、更に一次側装置の外観にアクセサリーとしての意匠的な要素を持たせる事により、既存の携帯電話機用ストラップをしても違和感が無いものとなり、利用の促進につながるものである。
【発明を実施するための最良の形態】
【００２０】
以下図面によって本発明の実施例を説明する。
【実施例１】
【００２１】
本発明の車両用携帯電話機保持具においては図１から図５に示すように、携帯電話機１のイヤホンマイク用端子２に接続され携帯電話機１と共に持ち運び可能な一次側装置３と、自動車等の室内に固定される二次側装置４より構成される携帯電話機用ハンズフリー装置において、前記一次側装置３は、携帯電話機１の受信音声の電気信号出力端子と送信音声の電気信号入力端子を有するイヤホンマイク用端子２に接続されるコネクター１０と、前記電気信号出力端子から供給される受信音声の電気信号を磁束信号に変換して出力する一次側磁界コイルユニット１１と、二次側装置４より出力された送信音声の磁束信号を受信し電気信号に変換して前記電気信号入力端子に出力する一次側ピックアップコイルユニット１２と、携帯電話機１の送受信が携帯電話機用ハンズフリー装置を介すか否かを選択する切換スイッチ１３を有する。尚、前記切換スイッチ１３の代わりに、携帯電話機用ハンズフリー装置にセットされた事を感知し自動的に切り替える手段（例えば、二次側磁界コイルユニットから送られる磁束信号を一次側ピックアップコイルユニット１２が受信すると、自動的にハンズフリーモードに切り替わり、ハンズフリー装置を介した、送受信を携帯電話機１が行なうようになる。）を用いても良い。
【００２２】
更に、一次側装置３は、各電気部品が一体のケース１４内に収納されると共に、携帯電話機１と接続可能な紐１５が前記ケース１４に接続されており、各電気部品はイヤホンマイク用端子１２から供給される電力のみで駆動される。
【００２３】
又、前記二次側装置４は、前記一次側装置３より出力された受信音声の磁束信号を受信し電気信号に変換して出力する二次側ピックアップコイルユニット２０と、前記受信音声の電気信号を増幅する増幅器（図示せず）と、前記増幅器により増幅された受信音声の電気信号を音声に変換するスピーカー２１と、使用者の発する送信音声を電気信号に変換するマイク２２と、前記送信音声の電気信号を磁束信号に変換して出力する二次側磁界コイルユニット２３を有し、前記増幅器の電源は自動車のシガライターソケットに挿入するシガライタープラグ２４から供給される。そして、前記二次側装置４の各電気部品は、前記携帯電話機１を保持する保持具２５と一体に構成されると共に、前記二次側ピックアップコイルユニット２０と二次側磁界コイルユニット２３はケース２６に収納され、前記保持具２５に携帯電話機１が保持された状態における前記一次側装置３の一次側磁界コイルユニット１１と一次側ピックアップコイルユニット１２に近接する位置で前記保持具２５に固定出来るように前記ケース２６の固定部２７は保持具の左右側面に設けたスリット２８に上下調節自在に固定される。尚、前記二次側ピックアップコイルユニット２０と２次側磁界コイルユニット２３の固定位置は保持具２５の側面に限定されず、保持具２５の裏面などに固定しても良く、又、保持具２５に固定せず保持具２５の近くに別途固定しても良い。
【実施例２】
【００２４】
本発明の第２の実施例として、図６から図１０に示すように、携帯電話機１のイヤホンマイク用端子２に接続され携帯電話機１と共に持ち運び可能な一次側装置５と、自動車等の室内に固定される二次側装置６より構成される携帯電話機用ハンズフリー装置において、前記一次側装置５は、携帯電話機１の受信音声の電気信号出力端子と送信音声の電気信号入力端子を有するイヤホンマイク用端子２に接続されるコネクター１０と、前記電気信号出力端子から供給される受信音声の電気信号を磁束信号に変換して出力する一次側磁界コイルユニット１１と、使用者の発する送信音声を電気信号に変換して前記電気信号入力端子に出力するマイク１６と、携帯電話機１の送受信が携帯電話機用ハンズフリー装置を介すか否かを選択する切換スイッチ１３を有する。尚、前記切換スイッチ１３の代わりに、携帯電話機用ハンズフリー装置にセットされた事を感知し自動的に切り替える手段（例えば、切換スイッチの押しボタンを、携帯電話機１を保持する保持具と当接する位置に設け、携帯電話機１を保持具に固定した状態で、自動的に前記押しボタンが押される様にする。）を用いても良い。
【００２５】
更に、一次側装置５は、各電気部品が一体のケース１７内に収納されると共に、携帯電話機１と接続可能な紐１５が前記ケース１７に接続されており、各電気部品はイヤホンマイク用端子２から供給される電力のみで駆動される。
【００２６】
又、前記二次側装置６は、前記一次側装置５より出力された受信音声の磁束信号を受信し電気信号に変換して出力する二次側ピックアップコイルユニット２０と、前記受信音声の電気信号を増幅する増幅器（図示せず）と、前記増幅器により増幅された受信音声の電気信号を音声に変換するスピーカー２１を有し、少なくとも、前記増幅器の電源は自動車のシガライターソケットに挿入するシガライタープラグ２４から供給される。そして、前記二次側装置６の各電気部品は、前記携帯電話機１を保持する保持具２９と一体に構成されると共に、二次側ピックアップコイルユニット２０はケース３０に収納され、前記保持具２９に携帯電話機１が保持された状態における前記一次側装置５の一次側磁界コイルユニット１１に近接する位置で前記保持具２９に固定出来る様に前記ケース３０の固定部３１は、保持具２９の左右側面に設けたスリット３２に上下調節自在に固定される。尚、前記二次側ピックアップコイルユニット２０の固定位置は保持具２９の側面に限定されず、保持具２９の裏面などに固定しても良く、又、保持具２９に固定せず保持具２９の近くに別途固定しても良い。
【図面の簡単な説明】
【００２７】
【図１】本発明の第１実施例の形態を示すブロック図である。
【図２】本発明の第１実施例の一次側装置の説明図である。
【図３】本発明の第１実施例の二次側装置の要部の説明図である。
【図４】本発明の第１実施例の説明用斜視図である。
【図５】本発明の第１実施例の使用状態の説明用斜視図である。
【図６】本発明の第２実施例の形態を示すブロック図である。
【図７】本発明の第２実施例の一次側装置の説明図である。
【図８】本発明の第２実施例の二次側装置の要部の説明図である。
【図９】本発明の第２実施例の説明用斜視図である。
【図１０】本発明の第２実施例の使用状態の説明用斜視図である。
【符号の説明】
【００２８】
１    携帯電話機
２    イヤホンマイク用端子
３    一次側装置
４    二次側装置
５    一次側装置
６    二次側装置
１０  コネクター
１１  一次側磁界コイルユニット
１２  一次側ピックアップコイルユニット
１３  切換スイッチ
１４  ケース
１５  紐
１６  マイク
１７  ケース
２０  二次側ピックアップコイルユニット
２１  スピーカー
２２  マイク
２３  二次側磁界コイルユニット
２４  シガライタープラグ
２５  保持具
２６  ケース
２７  固定部
２８  スリット
２９  保持具
３０  ケース
３１  固定部
３２  スリット
【図１】
2006050492.tif 000003
【図２】
2006050492.tif 000004
【図３】
2006050492.tif 000005
【図４】
2006050492.tif 000006
【図５】
2006050492.tif 000007
【図６】
2006050492.tif 000008
【図７】
2006050492.tif 000009
【図８】
2006050492.tif 000010
【図９】
2006050492.tif 000011
【図１０】
2006050492.tif 000012